(57)【要約】【課題】シューズのソール構造において、異物などの侵入を未然に防止しつつ、少なくとも足長方向の長さを主に着用者の足の大きさに応じて適宜変化させるようにする。【解決手段】シューズ１のソール構造２において、第１ソール部１０および第２ソール部２０の各々は、第１連結部１３および第２連結部２３が互いに上下方向に重なる状態を維持しながら第１ソール本体１２および第２ソール本体２２が少なくとも足長方向において互いに接近および離反するように構成されている。【選択図】図１
2020044197.tif 000002
【特許請求の範囲】
【請求項１】
シューズ用のソール構造であって、
第１ソール部と、
前記第１ソール部よりも後方に配置された第２ソール部と、を備え、
前記第１ソール部は、第１ソール本体と、前記第１ソール本体の後部に設けられた第１連結部と、を有し、
前記第２ソール部は、第２ソール本体と、前記第２ソール本体の前部に設けられかつ前記第１連結部と上下方向に重なるように連結された第２連結部を有し、
前記第１ソール部および前記第２ソール部の各々は、前記第１連結部および前記第２連結部が互いに上下方向に重なる状態を維持しながら前記第１ソール本体および前記第２ソール本体が少なくとも足長方向において互いに接近および離反するように構成されている、ソール構造。
【請求項２】
請求項１に記載のソール構造であって、
前記第１連結部および前記第２連結部のいずれか一方には、上下方向に突出した少なくとも１つの連結軸が設けられており、
前記第１連結部および前記第２連結部は、前記連結軸により、上下方向に重なるように互いに連結されかつ少なくとも足長方向において互いに相対移動するように構成されている、ソール構造。
【請求項３】
請求項２に記載のソール構造であって、
前記連結軸は、１つだけ設けられており、
前記第１連結部および前記第２連結部の各々は、前記連結軸を回動軸として足幅方向に回動するように構成されている、ソール構造。
【請求項４】
請求項１〜３のいずれか１項に記載のソール構造であって、
前記第１ソール本体の上面と、前記第２ソール本体の上面と、前記第１連結部および前記第２連結部のいずれか一方の上面とは、着用者の足裏を支持するための足裏支持面として構成されており、
前記第１連結部および前記第２連結部のいずれか一方の上面は、前記第１ソール本体および前記第２ソール本体の各々の上面と面一になっている、ソール構造。
【請求項５】
請求項１〜４のいずれか１項に記載のソール構造であって、
前記第１連結部は、前記第２連結部の下方に配置されており、
前記第１連結部の下側には、アウトソールが積層配置されている、ソール構造。
【請求項６】
請求項１〜４のいずれか１項に記載のソール構造であって、
前記第２連結部は、前記第１連結部の下方に配置されており、
前記第２連結部の下側には、アウトソールが積層配置されている、ソール構造。
【請求項７】
請求項１〜６のいずれか１項に記載のソール構造を備えるシューズ。
【請求項８】
請求項７に記載のシューズであって、
前記ソール構造に取り付けられたアッパーをさらに備え、
前記アッパーは、
前記第１連結部と前記第２連結部とが上下方向に重なる位置に対応する位置に配置された伸縮可能な伸縮部と、
前記第１連結部よりも前方に配置されかつ前記第１ソール本体に固着された第１固定部と、
前記第２連結部よりも後方に配置されかつ前記第２ソール本体に固着された第２固定部と、を有する、シューズ。
【発明の詳細な説明】
【技術分野】
【０００１】
本発明は、ソール構造およびそれを備えたシューズに関するものである。
【背景技術】
【０００２】
従来、シューズを着用した者（以下「着用者」という）の足を支持するためのソール構造として、例えば特許文献１のようなソール構造が提案されている。
【０００３】
この特許文献１には、つま先部分と、かかと部分と、中間部分とを有する少なくとも１つの靴底層を備えたソール構造が開示されている。中間部分は、上下方向に貫通形成された複数の開口部を有している。中間部分は、この複数の開口部により層の厚さが変化することなく層の長さが変化するように弾性的に可撓性となっている。そして、つま先部分およびかかと部分の各々は、縦方向（すなわち足長方向）において中間部分に対し相対的に変位可能となっている。
【先行技術文献】
【特許文献】
【０００４】
【特許文献１】特表２００８−５１７６９９号公報
【発明の概要】
【発明が解決しようとする課題】
【０００５】
特許文献１のソール構造では、複数の開口部を有する中間部分によりつま先部およびかかと部の各々が足長方向において中間部分に対し相対的に変位可能となっている。これにより、ソール構造における足長方向の長さを着用者の足の大きさに応じて適宜変化させることが可能となっている。しかしながら、上記ソール構造では、異物や水などが、路面または地面から複数の開口部を通って該ソール構造内に浸入しやすくなっていた。その結果、着用者は、上記ソール構造を備えたシューズを安全かつ快適に履くことができないという問題があった。
【０００６】
本発明は斯かる点に鑑みてなされたものであり、その目的は、異物などの侵入を未然に防止しつつ、ソール構造における少なくとも足長方向の長さを、主に着用者の足の大きさに応じて適宜変化させることができるようにすることにある。
【課題を解決するための手段】
【０００７】
上記の目的を達成するために、本発明の第１の形態はシューズ用のソール構造であって、ソール構造は、第１ソール部と、第１ソール部よりも後方に配置された第２ソール部と、を備えている。第１ソール部は、第１ソール本体と、第１ソール本体の後部に設けられた第１連結部と、を有している。第２ソール部は、第２ソール本体と、第２ソール本体の前部に設けられかつ第１連結部と上下方向に重なるように連結された第２連結部を有している。そして、第１ソール部および第２ソール部の各々は、第１連結部および第２連結部が互いに上下方向に重なる状態を維持しながら第１ソール本体および第２ソール本体が少なくとも足長方向において互いに接近および離反するように構成されていることを特徴とする。
【０００８】
この第１の形態では、第１ソール本体および第２ソール本体が少なくとも足長方向において互いに接近および離反するように構成されていることから、ソール構造における少なくとも足長方向の長さを主に着用者の足の大きさに応じて適宜変化させることが可能となる。また、第１連結部と第２連結部とを上下方向に重ねた状態が維持されるため、特に第１ソール本体および第２ソール本体が互いに足長方向に離反した状態であっても、第１ソール本体と第２ソール本体との間に隙間が生じにくくなる。このため、異物や水などが路面または地面からソール構造内に浸入しにくくなる。したがって、第１の形態では、異物などの侵入を未然に防止しつつ、ソール構造における少なくとも足長方向の長さを主に着用者の足の大きさに応じて適宜変化させることができる。
【０００９】
第２の形態は、第１の形態において、第１連結部および第２連結部のいずれか一方には、上下方向に突出した少なくとも１つの連結軸が設けられており、第１連結部および第２連結部は、連結軸により、上下方向に重なるように互いに連結されかつ少なくとも足長方向において互いに相対移動するように構成されていることを特徴とする。
【００１０】
この第２の形態では、連結軸により、第１連結部および第２連結部が上下方向に重なるように互いに連結されかつ少なくとも足長方向において互いに相対移動するように構成されているため、第１連結部および第２連結部が互いに上下方向に重なる状態を維持しながら第１ソール本体および第２ソール本体が少なくとも足長方向において互いに接近および離反するように構成することが容易となる。このような簡易な構成により、上記第１の形態と同様の作用効果を得ることができる。
【００１１】
第３の形態は、第２の形態において、連結軸は、１つだけ設けられており、第１連結部および第２連結部の各々は、連結軸を回動軸として足幅方向に回動するように構成されていることを特徴とする。
【００１２】
この第３の形態では、第１連結部および第２連結部の各々が連結軸を回動軸として足幅方向に回動することから、第１ソール本体および第２ソール本体のいずれか一方が他方に対して足幅方向にも相対的に移動するようになる。これにより、第１ソール本体と第２ソール本体との相対的な位置関係を、着用者の足の大きさに限られず、着用者の足の様々な動作にも適応させることができる。
【００１３】
第４の形態は、第１〜第３のいずれか１つの形態において、第１ソール本体の上面と、第２ソール本体の上面と、第１連結部および第２連結部のいずれか一方の上面とは、着用者の足裏を支持するための足裏支持面として構成されている。そして、第１連結部および第２連結部のいずれか一方の上面は、第１ソール本体および第２ソール本体の各々の上面と面一になっていることを特徴とする。
【００１４】
この第４の形態では、第１ソール本体の上面と、第２ソール本体の上面と、第１連結部および第２連結部のいずれか一方の上面とからなる足裏支持面を、全体的に滑らかにすることが可能となる。その結果、着用者の足裏に対する違和感が生じないようにすることができるとともに、着用者の足裏を安定的に支持することができる。
【００１５】
第５の形態は、第１〜第４のいずれか１つの形態において、第１連結部は、第２連結部の下方に配置されており、第１連結部の下側には、アウトソールが積層配置されていることを特徴とする。
【００１６】
この第５の形態では、第１連結部の下側に積層配置されたアウトソールにより、異物や水などが、路面または地面から第１連結部を通過してソール構造内に浸入することを未然に防止することができる。
【００１７】
第６の形態は、第１〜第４のいずれか１つの形態において、第２連結部は、第１連結部の下方に配置されており、第２連結部の下側には、アウトソールが積層配置されていることを特徴とする。
【００１８】
この第６の形態では、第２連結部の下側に積層配置されたアウトソールにより、異物や水などが、路面または地面から第２連結部を通過してソール構造内に浸入することを未然に防止することができる。
【００１９】
第７の形態は、第１〜６の形態のいずれか１つのソール構造を備えたシューズであることを特徴とする。
【００２０】
この第７の形態では、上記第１〜第６の形態と同様の作用効果を奏するシューズを得ることができる。そして、着用者は、安全かつ快適にシューズを履くことができる。
【００２１】
第８の形態は、第７の形態において、ソール構造に取り付けられたアッパーをさらに備えている。そして、アッパーは、第１連結部と第２連結部とが上下方向に重なる位置に対応する位置に配置された伸縮可能な伸縮部と、第１連結部よりも前方に配置されかつ第１ソール本体に固着された第１固定部と、第２連結部よりも後方に配置されかつ第２ソール本体に固着された第２固定部と、を有することを特徴とする。
【００２２】
この第８の形態では、着用者がシューズを履いたときに、着用者の足の大きさに応じてアッパーの伸縮部が伸縮しかつ第１固定部および第２固定部の少なくともいずれか一方が足長方向に移動するようになる。この移動により、第１ソール本体および第２ソール本体の少なくともいずれか一方が足長方向に移動するとともに、第１連結部および第２連結部が足長方向に互いに相対移動するようになる。このように、ソール構造における少なくとも足長方向の長さを、アッパーの形状変化に適応させることが可能となる。その結果、シューズ全体を、主に着用者の足の大きさにフィットさせることができる。
【発明の効果】
【００２３】
以上説明したように、本発明によると、異物などの侵入を未然に防止しつつ、ソール構造における少なくとも足長方向の長さを主に着用者の足の大きさに応じて適宜変化させることができる。
【図面の簡単な説明】
【００２４】
【図１】図１は、実施形態に係るソール構造を備えたシューズの全体を示す全体斜視図である。
【図２】図２は、実施形態に係るソール構造を備えたシューズを内甲側から見て示す側面図である。
【図３】図３は、実施形態に係るソール構造の平面図である。
【図４】図４は、図３のIV−IV線断面図である。
【図５】図５は、第１ソール部の底面図である。
【図６】図６は、第２ソール部の底面図である。
【図７】図７は、第１ソールおよび第２ソール部が足長方向に互いに相対移動したときのソール構造の状態を示す図２相当図である。
【図８】図８は、図７に示したソール構造の状態を示す図４相当図である。
【図９】図９は、実施形態に係るシューズの変形例１を示す図４相当図である。
【図１０】図１０は、実施形態に係るシューズの変形例２を示す図４相当図である。
【図１１】図１１は、実施形態に係るシューズの変形例３を示す図４相当図である。
【図１２】図１２は、実施形態に係るシューズの変形例４を示す図４相当図である。
【図１３】図１３は、実施形態に係るシューズの変形例５を示す図４相当図である。
【図１４】図１４は、実施形態に係るシューズの変形例６を示す図４相当図である。
【発明を実施するための形態】
【００２５】
以下、本発明の実施形態を図面に基づいて詳細に説明する。以下の実施形態の説明は、本質的に例示に過ぎず、本発明、その適用物或いはその用途を制限することを意図するものではない。
【００２６】
図１〜図３は、本発明の実施形態に係るソール構造２およびそれを備えたシューズ１の全体を示している。このシューズ１は、例えばランニング用や各種競技用のスポーツシューズ、日常使用のスニーカーおよびリハビリ用シューズとして使用される。
【００２７】
ここで、シューズ１は、右足用シューズのみを例示している。左足用シューズは、右足用シューズと左右対称になるように構成されているので、以下の説明では右足用シューズのみについて説明し、左足用シューズの説明は省略する。
【００２８】
また、以下の説明において、上側および下側とはシューズ１の上下方向の位置関係を表し、前方（前側）および後方（後側）とはシューズ１の足長方向（前後方向）の位置関係を表し、内甲側および外甲側とはシューズ１の足幅方向の位置関係を表すものとする。
【００２９】
図１〜図４に示すように、この実施形態において、ソール構造２は、足長方向において２つの部材に分割されている。具体的に、ソール構造２は、第１ソール部１０および第２ソール部２０を備えている。
【００３０】
（第１ソール部）
第１ソール部１０は、例えば、シューズ１を着用した者（以下「着用者」という）の足の前足部から中足部に亘る範囲に対応して配設されている。
【００３１】
第１ソール部１０は、第１アウトソール部１１を有している。第１アウトソール部１１は、後述する第１ソール本体１２および第１連結部１３よりも高硬度の硬質弾性部材で構成されている。具体的に、第１アウトソール部１１は、例えばエチレン−酢酸ビニル共重合体（ＥＶＡ）等の熱可塑性樹脂、ポリウレタン（ＰＵ）等の熱硬化性樹脂、またはブタジエンラバーやクロロプレンラバー等のラバー素材が適している。
【００３２】
図５にも示すように、第１ソール部１０は、第１ソール本体１２を有している。第１ソール本体１２は、第１アウトソール部１１の上側に積層配置されている。第１ソール本体１２は、軟質の弾性材により構成されている。具体的に、第１ソール本体１２は、例えばエチレン−酢酸ビニル共重合体（ＥＶＡ）等の熱可塑性合成樹脂やその発泡体、ポリウレタン（ＰＵ）等の熱硬化性樹脂やその発泡体、ブタジエンラバーやクロロプレンラバー等のラバー素材やその発泡体などが適している。
【００３３】
第１ソール本体１２の上面は、着用者の足裏において前足部から中足部に亘る範囲を支持するための足裏支持面の一部として構成されている。
【００３４】
図１〜図５に示すように、第１ソール部１０は、第１連結部１３を有している。第１連結部１３は、第１ソール本体１２と同じ材料からなる。第１連結部１３は、第１ソール本体１２の後部に設けられている。第１連結部１３は、第１ソール本体１２と一体形成されている。第１連結部１３は、後述する第２連結部２３の下方に配置されている。第１連結部１３は、第１ソール本体１２と同様に、第１アウトソール部１１の上側に積層配置されている。
【００３５】
第１連結部１３は、その厚みが第１ソール本体１２の厚みよりも小さくなるように形成されている。第１連結部１３は、側面視において第１ソール本体１２の上面に対し段差状に形成されている。具体的に、第１連結部１３の上面は、第１ソール本体１２の上面よりも下方に位置している。第１連結部１３の下面は、第１ソール本体１２の下面と面一となっている。
【００３６】
図４および図５に示すように、第１連結部１３には、案内部３１が設けられている。案内部３１は、後述する連結軸３４を足長方向に移動可能に案内するためのものである。案内部３１は、第１連結部１３の下面から上方に向かって溝状に凹陥形成されている。案内部３１は、足幅方向よりも足長方向に長くなるよう形成されている。案内部３１は、第１連結部１３における足幅方向略中央に配置されている。そして、案内部３１は、内部空間が密閉されるように第１アウトソール部１１により下方から覆われている（図４参照）。
【００３７】
案内部３１は、その底部の一部が上下方向に貫通した貫通孔３２を有している。貫通孔３２は、後述する連結軸３４の軸部３４ａを上下方向に沿って挿通させるためのものである。貫通孔３２は、案内部３１における足幅方向略中央に配置されている。貫通孔３２は、足幅方向よりも足長方向に長くなるよう形成されている。貫通孔３２は、足幅方向の幅が後述する連結軸３４の軸部３４ａの直径よりも大きくなるように形成されている。また、貫通孔３２は、足幅方向の幅が後述する連結軸３４の抜け止め部３４ｂの直径よりも小さくなるように形成されている。
【００３８】
（第２ソール部）
図１〜図４に示すように、第２ソール部２０は、第１ソール部１０よりも後方に配置されている。第２ソール部２０は、例えば、着用者の足の中足部から後足部に亘る範囲に対応して配設されている。
【００３９】
第２ソール部２０は、第２アウトソール部２１を有している。第２アウトソール部２１は、第１アウトソール部１１と同様に、高硬度の硬質弾性部材で構成されている。なお、第２アウトソール部２１は、第１アウトソール部１１の材料と同じ材料により構成されていてもよい。あるいは、第２アウトソール部２１は、第１アウトソール部１１の材料と異なる材料により構成されていてもよい。
【００４０】
図６にも示すように、第２ソール部２０は、第２ソール本体２２を有している。第２ソール本体２２は、第１ソール本体１２と同様に、軟質の弾性材により構成されている。なお、第２ソール本体２２は、第１ソール本体１２の材料と同じ材料により構成されていてもよい。あるいは、第２ソール本体２２は、第１ソール本体１２の材料と異なる材料により構成されていてもよい。
【００４１】
第２ソール本体２２は、第２アウトソール部２１の上側に積層配置されている。第２ソール本体２２の上面は、着用者の足裏において中足部から後足部に亘る範囲を支持するための足裏支持面の一部として構成されている。
【００４２】
第２ソール部２０は、第２連結部２３を有している。第２連結部２３は、第２ソール本体２２の前部に設けられている。第２連結部２３は、第２ソール本体２２と一体形成されている。なお、第２連結部２３は、第１連結部１３の材料と同じ材料により構成されていてもよい。あるいは、第２連結部２３は、第１連結部１３の材料と異なる材料により構成されていてもよい。
【００４３】
第２連結部２３は、その厚みが第２ソール本体２２の厚みよりも小さくなるように形成されている。第２連結部２３は、側面視において第２ソール本体２２の下面に対し段差状に形成されている。具体的に、第２連結部２３の下面は、第２ソール本体２２の下面よりも上方に位置している。第２連結部２３の上面は、第１ソール本体１２の上面および第２ソール本体２２の上面と面一になっている。すなわち、第２連結部２３の上面は、着用者の足裏の一部を支持するための足裏支持面の一部として構成されている。
【００４４】
図６に示すように、第２連結部２３には、固定穴３３が設けられている。固定穴３３は、第２連結部２３の下面から上方に向かって有底状に形成されている。固定穴３３は、底面視で円形状に形成されている。固定穴３３は、第２連結部２３の前端部寄りに配置されている。固定穴３３は、第２連結部２３の足幅方向略中央に配置されている。
【００４５】
図２および図３に示すように、第２連結部２３には、連結軸３４が設けられている。図４に示すように、連結軸３４は、軸部３４ａおよび抜け止め部３４ｂを有している。
【００４６】
軸部３４ａは、上下方向に延びる柱状に形成されている。この実施形態において、軸部３４ａは、円柱状に形成されている。軸部３４ａの下部は、第１連結部１３の貫通孔３２に挿通されている。軸部３４ａの上部は、例えば接着剤により第２連結部２３の固定穴３３に固着されている。
【００４７】
抜け止め部３４ｂは、例えば略円盤状に形成されている。抜け止め部３４ｂは、その直径が軸部３４ａの直径よりも大きくなるように形成されている。抜け止め部３４ｂは、軸部３４ａと一体形成されている。抜け止め部３４ｂは、軸部３４ａが第１連結部１３の貫通孔３２に挿通された状態で第１連結部１３の案内部３１に収容されている。また、抜け止め部３４ｂの上面は、案内部３１の底面と当接している。
【００４８】
第１連結部１３および第２連結部２３は、案内部３１および連結軸３４により上下方向に重なるように互いに連結されている。具体的に、第１連結部１３および第２連結部２３は、第１連結部１３の上面と第２連結部２３の下面とが上下方向に対向した状態となるように連結されている。そして、第１連結部１３および第２連結部２３の各々は、足長方向に相対移動可能となっている。さらに、図７に示すように、第１連結部１３および第２連結部２３の各々は、連結軸３４の軸部３４ａを回動軸として足幅方向に回動するように構成されている（図７の仮想線を参照）。
【００４９】
なお、第１連結部１３の上面と第２連結部２３の下面とは、互いに接触していてもよい。かかる接触状態において、第１連結部１３の上面と第２連結部２３の下面との間には、潤滑油などが塗布されているのが好ましい。この潤滑油により、第１連結部１３の上面と第２連結部２３の下面との間に過度な摩擦力が生じることを抑制することが可能となる。
【００５０】
（アッパー）
図１に示すように、シューズ１は、着用者の足を覆うためのアッパー３を備えている。アッパー３は、ソール構造２に取り付けられている。アッパー３部は、例えば、編物、織物、不織布、合成皮革、人工皮革、天然皮革などにより構成されている。アッパー３の上部には、着用者の足を挿入するための足挿入部３ａが設けられている。図２に示すように、アッパー３は、伸縮可能な伸縮部３ｂと、第１固定部３ｃと、第２固定部３ｄとを有している。
【００５１】
伸縮部３ｂは、アッパー３において、第１連結部１３と第２連結部２３とが上下方向に重なる位置に対応する位置に配置されている。
【００５２】
第１固定部３ｃは、アッパー３において、第１連結部１３に対応する位置よりも前方に配置されている。第１固定部３ｃは、例えば紐材などの締結部材または接着剤により第１ソール本体１２の周縁部に固着されている。
【００５３】
第２固定部３ｄは、アッパー３において、第２連結部２３に対応する位置よりも後方に配置されている。第２固定部３ｄは、例えば紐材などの締結部材または接着剤により第２ソール本体２２の周縁部に固着されている。
【００５４】
（ソール構造およびアッパーの各動作）
次に、この実施形態に係るソール構造２およびアッパー３の各動作について説明する。
【００５５】
図４に示すように、足長方向において第１ソール本体１２および第２ソール本体２２が互いに接近している状態では、第１連結部１３の略全体と第２連結部２３の略全体とが上下方向に重なるようになっている。
【００５６】
図４に示した状態において、例えば着用者がシューズ１を履いたときに着用者の足の大きさに応じてアッパー３の伸縮部３ｂが伸長しかつ第１固定部３ｃがシューズ１の前方に向かって移動した場合には、シューズ１の前方に向かう外力が第１固定部３ｃを介して第１ソール本体１２に伝わるようになる。そして、上記外力により、第１ソール本体１２が第２ソール本体２２に対して足長方向に互いに離反するとともに、案内部３１の貫通孔３２が連結軸３４の軸部３４ａに対して足長方向にスライドするようになる（図８参照）。
【００５７】
あるいは、図４に示した状態において、例えば着用者がシューズ１を履いたときに着用者の足の大きさに応じてアッパー３の伸縮部３ｂが伸長しかつ第２固定部３ｄがシューズ１の後方に向かって移動した場合には、シューズ１の後方に向かう外力が第２固定部３ｄを介して第２ソール本体２２に伝わるようになる。そして、上記外力により、第２ソール本体２２が第１ソール本体１２に対して足長方向に互いに離反するとともに、連結軸３４の軸部３４ａが案内部３１の貫通孔３２に対して足長方向にスライドするようになる（図８参照）。
【００５８】
図８に示すように、ソール構造２では、第１ソール本体１２および第２ソール本体２２のいずれか一方が他方に対して足長方向に離反した状態であっても、第１連結部１３の後部と第２連結部２３の前部とが上下方向に重なるようになっている。このように、第１ソール部１０および第２ソール部２０の各々は、第１連結部１３と第２連結部２３とが上下方向に重なる状態を維持しながら第１ソール本体１２および第２ソール本体２２が少なくとも足長方向に互いに接近および離反するように構成されている。
【００５９】
［実施形態の作用効果］
以上のように、実施形態に係るソール構造２では、第１ソール本体１２および第２ソール本体２２が少なくとも足長方向において互いに接近および離反するように構成されている。このため、ソール構造２における少なくとも足長方向の長さを主に着用者の足の大きさに応じて適宜変化させることが可能となる。また、第１連結部１３と第２連結部２３とを上下方向に重ねた状態が維持されるため、特に第１ソール本体１２および第２ソール本体２２が互いに足長方向に離反した状態であっても、第１ソール本体１２と第２ソール本体２２との間に隙間が生じにくくなる。このため、異物や水などが、路面または地面からソール構造２内に浸入しにくくなる。したがって、実施形態に係るソール構造２では、異物などの侵入を未然に防止しつつ、少なくとも足長方向の長さを主に着用者の足の大きさに応じて適宜変化させることができる。そして、着用者は、安全かつ快適にソール構造２を備えたシューズ１を履くことができる。
【００６０】
また、第１連結部１３および第２連結部２３は、連結軸３４により、上下方向に重なるように互いに連結されかつ少なくとも足長方向において互いに相対移動するように構成されている。かかる構成により、第１連結部１３および第２連結部２３が互いに上下方向に重なる状態を維持しながら第１ソール本体１２および第２ソール本体２２が少なくとも足長方向において互いに接近および離反するように構成することが容易となる。このような簡易な構成により、上記作用効果と同様の作用効果を得ることができる。
【００６１】
また、連結軸３４は１つだけ設けられており、第１連結部１３および第２連結部２３の各々は、連結軸３４を回動軸として足幅方向に回動するように構成されている。このため、第１ソール本体１２および第２ソール本体２２のいずれか一方が他方に対して足幅方向にも相対的に移動するようになる。これにより、第１ソール本体１２と第２ソール本体２２との相対的な位置関係を、着用者の足の大きさに限られず、着用者の足の様々な動作にも適応させることができる。
【００６２】
また、第１ソール本体１２の上面と、第２ソール本体２２の上面と、第２連結部２３の上面とは、着用者の足裏を支持するための足裏支持面として構成されていて、第２連結部２３の上面は、第１ソール本体１２の上面および第２ソール本体２２の上面と面一になっている。このため、第１ソール本体１２の上面と、第２ソール本体２２の上面と、第２連結部２３の上面とからなる足裏支持面を、全体的に滑らかにすることが可能となる。その結果、着用者の足裏に対する違和感が生じないようにすることができるとともに、着用者の足裏を安定的に支持することができる。
【００６３】
また、第１連結部１３は第２連結部２３の下方に配置されており、第１連結部１３の下側には第１アウトソール部１１（アウトソール）が積層配置されている。この第１アウトソール部１１により、異物や水などが、路面または地面から第１連結部１３（特に貫通孔３２）を通過してソール構造２内に浸入することを未然に防止することができる。
【００６４】
また、アッパー３は、伸縮部３ｂと、第１固定部３ｃと、第２固定部３ｄと、を有している。このため、着用者がシューズ１を履いたときに、着用者の足の大きさに応じてアッパー３の伸縮部３ｂが伸縮しかつ第１固定部３ｃおよび第２固定部３ｄの少なくともいずれか一方が足長方向に移動するようになる。この移動により、第１ソール本体１２および第２ソール本体２２の少なくともいずれか一方が足長方向に移動するとともに、第１連結部１３および第２連結部２３が足長方向に互いに相対移動するようになる。このように、ソール構造２における少なくとも足長方向の長さを、アッパー３の形状変化に適応させることが可能となる。その結果、シューズ１全体を、主に着用者の足の大きさにフィットさせることができる。
【００６５】
［実施形態の変形例１］
上記実施形態では、第１連結部１３を第２連結部２３よりも下方に配置した形態を示したが、この形態に限られない。すなわち、図９に示した変形例１のように、第１連結部１３を第２連結部２３よりも上方に配置してもよい。さらに、この変形例１において、第２連結部２３は、第２ソール本体２２と同様に、第２アウトソール部２１の上側に積層配置されていてもよい。
【００６６】
［実施形態の変形例２および変形例３］
また、上記実施形態では、案内部３１を第１連結部１３に設ける一方、連結軸３４を第２連結部２３に設けるようにした形態を示したが、この形態に限られない。すなわち、図１０に示した変形例２および図１１に示した変形例３のように、案内部３１を第２連結部２３に設ける一方、連結軸３４を第１連結部１３に設けてもよい。
【００６７】
［実施形態の変形例４］
また、図１２に示した変形例４のように、ソール構造２が第１上層部４１および第２上層部４２をさらに備える形態としてもよい。第１上層部４１は、第１ソール本体１２の上側に配置されていて、第１ソール本体１２と一体形成されている。第１上層部４１は、その後部が第２連結部２３の上方に位置するように形成されている。一方、第２上層部４２は、第２ソール本体２２の上側に配置されていて、第２ソール本体２２と一体形成されている。そして、第１上層部４１の上面は、第２上層部４２の上面と面一となっている。
【００６８】
以上のように、変形例４のソール構造２において、第１ソール部１０および第２ソール部２０の各々は、第１連結部１３および第１上層部４１の後部が第２連結部２３と上下方向に重なる状態を維持しながら第１ソール本体１２および第２ソール本体２２が少なくとも足長方向に互いに接近および離反するように構成されている。すなわち、変形例４では、上記実施形態と比較して、第１上層部４１の後部と第２連結部２３とを上下方向に重ねた構成がさらに追加されている。このため、変形例４のソール構造２では、異物や水などがソール構造２内に浸入しないようにするという効果をより一層高めることができる。
【００６９】
［実施形態の変形例５］
図１３に示した変形例５は、上記変形例３に示したソール構造２に対して第１上層部４１および第２上層部４２を設けた更なる変形例である。すなわち、変形例５のソール構造２において、第１ソール部１０および第２ソール部２０の各々は、第２連結部２３および第２上層部４２の前部が第１連結部１３と上下方向に重なる状態を維持しながら第１ソール本体１２および第２ソール本体２２が少なくとも足長方向に互いに接近および離反するように構成されている。すなわち、変形例５では、上記実施形態と比較して、第２上層部４２の前部と第１連結部１３とを上下方向に重ねた構成がさらに追加されている。このため、変形例５のソール構造２であっても、変形例４のソール構造２と同様に、異物や水などがソール構造２内に浸入しないようにするという効果をより一層高めることができる。
【００７０】
［実施形態の変形例６］
上記実施形態では、有底状の固定穴３３を第２連結部２３に形成しかつ軸部３４ａの上部を接着剤などにより固定穴３３に固着した形態を示したが、この形態に限られない。例えば、図１４に示した変形例６のように構成してもよい。この変形例６であっても、連結軸３４により第１連結部１３および第２連結部２３を互いに連結することが可能となる。
【００７１】
具体的に、図１４に示すように、第２連結部２３には、上記実施形態で示した固定穴３３に代えて、孔部３５および穴部３６が形成されている。孔部３５は、第２連結部２３の下面から上方に向かって貫通している。穴部３６は、第２連結部２３の上面から下方に向かって有底状に形成されている。穴部３６は、その内径が孔部３５の内径よりも大きくなるように形成されている。穴部３６には、ナット部材３７が埋設されている。
【００７２】
また、連結軸３４の軸部３４ａには雄ねじ加工が施されている。軸部３４ａの下部は、貫通孔３２および第１孔部３５に挿通されている。そして、軸部３４ａの上部は、第２孔部３６に埋設されたナット部材３７に螺合されている。かかる構成により、第１連結部１３および第２連結部２３を互いに連結することが可能となる。
【００７３】
なお、上記変形例１〜５であっても、この変形例６に示した構成を適用することが可能である。
【００７４】
［その他の実施形態］
上記実施形態では、ソール構造２は、足長方向において２つに分割された形態を示したが、この形態に限られない。すなわち、ソール構造２は、足長方向において少なくとも２つに分割されるように構成されていればよい。
【００７５】
また、上記実施形態では、案内部３１、貫通孔３２、固定穴３３，および連結軸３４をそれぞれ１つずつ設けた形態を示したが、この形態に限られない。すなわち、案内部３１、貫通孔３２、固定穴３３，および連結軸３４をそれぞれ複数設けた形態としてもよい。
【００７６】
また、上記実施形態では、第１ソール本体１２の下面と第１連結部１３の下面とが面一となる形態を示したが、この形態に限られない。すなわち、第１ソール本体１２の下面と第１連結部１３の下面とが面一とならないように構成してもよい。上記変形例２および上記変形例４についても、これと同様である。さらに、上記変形例１、上記変形例３、および上記変形例５では、第２ソール本体２２の下面と第１連結部２３の下面とが面一とならないように構成してもよい。
【００７７】
また、上記実施形態では、円柱状の軸部３４ａを適用した形態を示したが、この形態に限られない。例えば、軸部３４ａの形状を、三角柱状、四角柱状などの種々の形状にしてもよい。上記変形例１〜５についても、これと同様である。なお、上記実施形態のように、軸部３４ａが円柱状に形成されていれば、第１連結部１３および第２連結部２３の各々を、軸部３４ａを回動軸として足幅方向に回動させやすくなる。
【００７８】
以上、本発明についての実施形態を説明したが、本発明は上述の実施形態のみに限定されず、発明の範囲内で種々の変更が可能である。
【産業上の利用可能性】
【００７９】
本発明は、例えばランニング用や各種競技用のスポーツシューズ、日常使用のスニーカーおよびリハビリ用シューズのソール構造およびそれを用いたシューズとして産業上の利用が可能である。
【符号の説明】
【００８０】
１：シューズ
２：ソール構造
３：アッパー
３ａ：足挿入部
３ｂ：伸縮部
３ｃ：第１固定部
３ｄ：第２固定部
１０：第１ソール部
１１：第１アウトソール部
１２：第１ソール本体
１３：第１連結部
１４：案内部
１５：貫通孔
１６：第１上層部
２０：第２ソール部
２１：第２アウトソール部
２２：第２ソール本体
２３：第２連結部
２４：固定穴
２５：連結軸
２５ａ：軸部
２５ｂ：抜け止め部
２６：第２上層部
【図１】
2020044197.tif 000003
【図２】
2020044197.tif 000004
【図３】
2020044197.tif 000005
【図４】
2020044197.tif 000006
【図５】
2020044197.tif 000007
【図６】
2020044197.tif 000008
【図７】
2020044197.tif 000009
【図８】
2020044197.tif 000010
【図９】
2020044197.tif 000011
【図１０】
2020044197.tif 000012
【図１１】
2020044197.tif 000013
【図１２】
2020044197.tif 000014
【図１３】
2020044197.tif 000015
【図１４】
2020044197.tif 000016